(57)【要約】【課題】特定状態である第１腕部から使用者が容易に脱出可能なシャワー装置を提供する。【解決手段】シャワー装置４１は、外部から水が供給される接続部４４を有する本体４２と、第１方向Ｘに延びる軸線７０Ａ周りに基端部４８Ａが本体に回転可能に支持され、接続部から内部に供給された水を外部に吐出する吐出孔が形成された第１腕部４３Ａと、を備え、第１腕部の特定状態Ｐ１Ａでは、第１腕部の先端部４６Ａの少なくとも一部は、第１方向に交差する第２方向Ｙの一方側Ｙ１に延び、第１腕部の基端部及び第１腕部の先端部よりも、第１腕部の基端部と第１腕部の先端部とを連結する第１腕部の連結部４７Ａが柔らかい。【選択図】図１１
2019198585.tif 000002
【特許請求の範囲】
【請求項１】
外部から水が供給される接続部を有する本体と、
第１方向に延びる軸線周りに基端部が前記本体に回転可能に支持され、前記接続部から内部に供給された前記水を外部に吐出する吐出孔が形成された第１腕部と、
を備え、
前記第１腕部の特定状態では、前記第１腕部の先端部の少なくとも一部は、前記第１方向に交差する第２方向の一方側に延び、
前記第１腕部の基端部及び前記第１腕部の先端部よりも、前記第１腕部の基端部と前記第１腕部の先端部とを連結する前記第１腕部の連結部が柔らかいことを特徴とするシャワー装置。
【請求項２】
前記連結部は、
筒状に形成された本体部と、
前記本体部の軸線方向の端部に設けられ、前記第１腕部の基端部又は前記第１腕部の先端部に形成された嵌合部に嵌合する被嵌合部と、
を備える請求項１に記載のシャワー装置。
【請求項３】
前記第１方向に延びる軸線周りに基端部が前記本体に回転可能に支持され、前記接続部から内部に供給された前記水を外部に吐出する吐出孔が形成された第２腕部を備え、
前記第１腕部の基端部及び前記第２腕部の基端部は、前記本体を前記第１方向に挟むように配置されている請求項１又は２に記載のシャワー装置。
【請求項４】
請求項１から３のいずれか一項に記載のシャワー装置と、
使用者が座る椅子と、
を備え、
前記椅子の背もたれ部に、前記シャワー装置の前記本体が取付けられることを特徴とするシャワーシステム。
【発明の詳細な説明】
【技術分野】
【０００１】
本発明は、シャワー装置及びシャワーシステムに関する。
【背景技術】
【０００２】
従来、使用者が座った状態でシャワーを浴びるためのシャワーシステムが知られている（例えば、特許文献１参照）。特許文献１において、シャワーシステムは、椅子と、シャワーユニット（シャワー装置）と、を備えている。
【０００３】
シャワーユニットは、本体と、首当て部と、腰当て部と、一対のアーム（第１腕部）と、を備えている。本体は、縦長略楕円板状に形成され、椅子の背面に取付けられている。首当て部は、本体の上端に取付けられている。腰当て部は、本体の下端に取付けられている。一対のアームは、本体に対して前後回動可能に取付けられている。一対のアームは、本体の上部の両側に本体側部に沿わせた収納状態（退避状態）と、前方に倒して差し出した使用状態（特定状態）との間で回動可能である。
本体、首当て部、腰当て部、及び一対のアームには、首振り回動可能にシャワーノズル（吐出孔）が取付けられている。
【０００４】
このように構成されたシャワーシステムを使用するには、まず、使用者はシャワーシステムを浴室の所望の位置に設置する。浴室のカランのシャワー経路から分岐したシャワーホースをシャワーユニットに接続する。一対のアームを回動させて側方に広げて、使用状態にする。使用者は、シャワーシステムの椅子に座り、一対のアームのシャワーノズルから温水を噴出させる。
このようにして、使用者は、椅子に座った状態でシャワーを浴びる。
【先行技術文献】
【特許文献】
【０００５】
【特許文献１】特開２００４−２２３０６０号公報
【発明の概要】
【発明が解決しようとする課題】
【０００６】
しかしながら、特許文献１のシャワーシステムでは、アームが使用状態だと使用者がシャワー装置から脱出しにくい。
【０００７】
本発明は、このような問題点に鑑みてなされたものであって、特定状態である第１腕部から使用者が容易に脱出可能なシャワー装置、及びこのシャワー装置を備えるシャワーシステムを提供することを目的とする。
【課題を解決するための手段】
【０００８】
上記課題を解決するために、この発明は以下の手段を提案している。
本発明のシャワー装置は、外部から水が供給される接続部を有する本体と、第１方向に延びる軸線周りに基端部が前記本体に回転可能に支持され、前記接続部から内部に供給された前記水を外部に吐出する吐出孔が形成された第１腕部と、を備え、前記第１腕部の特定状態では、前記第１腕部の先端部の少なくとも一部は、前記第１方向に交差する第２方向の一方側に延び、前記第１腕部の基端部及び前記第１腕部の先端部よりも、前記第１腕部の基端部と前記第１腕部の先端部とを連結する前記第１腕部の連結部が柔らかいことを特徴としている。
【０００９】
この発明によれば、使用者は、例えば椅子の背もたれ部にシャワー装置の本体を取付ける。背もたれ部に対する第２方向の一方側（背もたれ部に対して座部が配置されている側）で椅子に座り、第１腕部を特定状態にして、接続部から供給され第１腕部における背もたれ部よりも第２方向の一方側に延びている先端部の少なくとも一部の吐出孔から吐出する水に当たることによりシャワーを浴びる。
この際に、緊急事態が発生したため等により、シャワー装置から使用者が脱出する場合には、連結部を変形させて、例えば先端部を持ち上げて第１腕部を使用者がシャワー装置から脱出するのに支障がないように形状にする。従って、特定状態である第１腕部から使用者が容易に脱出することができる。
【００１０】
また、上記のシャワー装置において、前記連結部は、筒状に形成された本体部と、前記本体部の軸線方向の端部に設けられ、前記第１腕部の基端部又は前記第１腕部の先端部に形成された嵌合部に嵌合する被嵌合部と、を備えてもよい。
この発明によれば、嵌合部及び被嵌合部という簡単な構成で、第１腕部の基端部又は先端部と連結部とを嵌合させることができる。
【００１１】
また、上記のシャワー装置において、前記第１方向に延びる軸線周りに基端部が前記本体に回転可能に支持され、前記接続部から内部に供給された前記水を外部に吐出する吐出孔が形成された第２腕部を備え、前記第１腕部の基端部及び前記第２腕部の基端部は、前記本体を前記第１方向に挟むように配置されていてもよい。
この発明によれば、第１腕部の吐出孔から吐出する水だけでなく、第１腕部とともに本体を第１方向に挟んだ第２腕部の吐出孔から吐出する水により、使用者にシャワーを浴びさせることができる。
【００１２】
また、本発明のシャワーシステムは、前記のいずれかに記載のシャワー装置と、使用者が座る椅子と、を備え、前記椅子の背もたれ部に、前記シャワー装置の前記本体が取付けられることを特徴としている。
この発明によれば、特定状態である第１腕部から使用者が容易に脱出可能なシャワー装置を用いてシャワーシステムを構成することができる。
【発明の効果】
【００１３】
本発明のシャワー装置によれば、特定状態である第１腕部から使用者が容易に脱出することができる。
【図面の簡単な説明】
【００１４】
【図１】本発明の一実施形態のシャワーシステムにおいて、両シャワーアームが使用状態のときの斜視図である。
【図２】図１中の切断線Ａ１−Ａ１の断面図である。
【図３】同シャワーシステムの第１シャワーアームの斜視図である。
【図４】図３中の切断線Ａ２−Ａ２の断面図を模式的に示す図である。
【図５】同第１シャワーアームの連結部材における側面図である。
【図６】同連結部材の底面図である。
【図７】支持部と第１シャワーアームとの軸線周りの接続部分を、直線状に展開した模式図である。
【図８】同シャワーシステムにおいて、両シャワーアームが退避状態のときの側面図である。
【図９】同シャワーシステムにおいて、両シャワーアームが退避状態のときの正面図である。
【図１０】同シャワーシステムにおいて、両シャワーアームが跳ね上げ状態のときの側面図である。
【図１１】同シャワーシステムにおいて、両シャワーアームが使用状態のときの側面図である。
【図１２】同シャワーシステムにおいて、両シャワーアームが使用状態のときの正面図である。
【図１３】同シャワーシステムを用いて使用者がシャワーを浴びている状態を説明する斜視図である。
【発明を実施するための形態】
【００１５】
以下、本発明に係るシャワーシステムの一実施形態を、図１から図１３を参照しながら説明する。
図１に示すように、本実施形態のシャワーシステム１は、椅子１１と、シャワー装置４１と、を備えている。
椅子１１には、公知の椅子を用いることができる。椅子１１は、浴室等でも使用可能なように、耐水性を有することが好ましい。例えば、椅子１１は、脚部１２と、座部１３と、背もたれ部１４と、肘掛け１５と、を備えている。
以下では、椅子１１に座る使用者にとっての左右方向（第１方向）Ｘ、前後方向（第２方向）Ｙを基準にして説明する。左右方向Ｘは、水平面に沿う方向である。前後方向Ｙは、水平面に沿い、かつ左右方向Ｘに直交する方向である。左右方向Ｘの一方側が右側Ｘ１であり、左右方向Ｘの他方側が左側Ｘ２である。前後方向Ｙの一方側が前方Ｙ１であり、前後方向Ｙの他方側が後方Ｙ２である。
【００１６】
座部１３は、一対の座板１７と、一対の座板１７を連結する連結部材１８と、を備えている。
座板１７は、厚さ方向が上下方向Ｚとなる板状に形成されている。座板１７は、上下方向Ｚから見た平面視で矩形状を呈している。一対の座板１７は、左右方向Ｘに互いに間隔を空けて並べて配置されている。
連結部材１８は、前後方向Ｙから見たときに、上方が開口するＵ字状を呈している。連結部材１８は、前後方向Ｙに延び、一対の座板１７の下方に配置されている。連結部材１８は、一対の座板１７の下面同士を連結している。
一対の座板１７及び連結部材１８は、例えば樹脂により一体に形成されている。
【００１７】
一対の座板１７の後端部には、後脚２１の上端部がそれぞれ固定されている。例えば、後脚２１は、アルミニウム、ステンレス等の管材で形成されている。後脚２１は、下方に向かうに従い漸次、後方Ｙ２に向かうように傾斜している。一対の後脚２１は、左右方向Ｘに互いに間隔を空けて並べて配置されている。各後脚２１の下端部には、樹脂製のキャップ２２が取付けられている。
一対の後脚２１は、連結部材２３により互いに連結されている。
【００１８】
一対の後脚２１の上端部には、アルミニウム、ステンレス等の硬質の管材でＵ字状に形成されたフレーム２６が回転可能に接続されている。より詳しく説明すると、フレーム２６は、左右方向Ｘに互いに間隔を空けて並べて配置された一対の支持片２７と、一対の支持片２７の上部同士を接合する連結片２８と、を備えている。
支持片２７は、下方に向かうに従い漸次、前方Ｙ１に向かうように傾斜している。各支持片２７は、長手方向の中間部で、ヒンジ２９（一方のヒンジ２９は不図示）により後脚２１の上端部に回転可能に支持されている。支持片２７は、後脚２１の上端部に対して左右方向Ｘに沿う軸線周りに回転可能である。なお、後脚２１と支持片２７との角度は、所定の角度以上には開かないように、ヒンジ２９により規制されている。
各支持片２７の下端部には、樹脂製のキャップ３２が取付けられている。
【００１９】
一対の支持片２７は、連結部材３０により互いに連結されている。連結部材３０は、棒状に形成され、左右方向Ｘに延びている。なお、一対の支持片２７におけるヒンジ２９よりも下方の部分、及び一対の後脚２１により、脚部１２が構成される。
連結片２８は、左右方向Ｘに延びている。なお、連結片２８を硬質の樹脂で形成してもよい。
【００２０】
図１及び図２に示すように、連結片２８の前方Ｙ１には、背板３６が配置されている。背板３６は、上下方向Ｚから見たときに、後方Ｙ２に向かって凸となるように湾曲している。背板３６は、フレーム２６の連結片２８に、図示しないボルト等により固定されている。なお、背板３６、連結片２８、及び一対の支持片２７におけるヒンジ２９よりも上方の部分により、背もたれ部１４が構成される。前述の座部１３は、背もたれ部１４の前方Ｙ１に配置されている。
【００２１】
肘掛け１５は、本実施形態では椅子１１に一対備えられている。肘掛け１５は、前後方向Ｙに延びている。一対の肘掛け１５は、左右方向Ｘに互いに間隔を空けて並べて配置されている。各肘掛け１５の後端部は、支持片２７におけるヒンジ２９よりも上方の部分に回転可能に支持されている。肘掛け１５は、左右方向Ｘに沿う軸線周りに回転可能である。
肘掛け１５は、図１に示す状態から上方に回転可能であるが、図１に示す状態から下方に回転するのが規制されている。
【００２２】
このように構成された椅子１１は、図１に示す展開状態から折り畳み可能である。具体的には、一対の支持片２７をヒンジ２９周りに回転させ、一対の後脚２１に対して一対の支持片２７をほぼ平行に配置する。各肘掛け１５の前端部を上方に移動させ、一対の肘掛け１５を一対の支持片２７に対してほぼ平行に配置する。
以上の工程により、椅子１１を折り畳まれた折り畳み状態になる。なお、椅子１１は折り畳みできなくてもよく、肘掛け１５を備えなくてもよい。
【００２３】
シャワー装置４１は、本体４２と、第１シャワーアーム（第１腕部）４３Ａ及び第２シャワーアーム（第２腕部）４３Ｂと、接続部４４と、を備えている。なお、図１に示すシャワーアーム４３Ａ，４３Ｂは、後述する使用状態Ｐ１Ａ，Ｐ１Ｂである。
シャワーアーム４３Ａ，４３Ｂは、本体４２を左右方向Ｘに挟むように配置されている。第１シャワーアーム４３Ａは本体４２の右側Ｘ１に配置され、第２シャワーアーム４３Ｂは本体４２の左側Ｘ２に配置されている。
本実施形態では、第１シャワーアーム４３Ａの構成と第２シャワーアーム４３Ｂの構成とは、シャワーアーム４３Ａ，４３Ｂの間に左右方向Ｘに直交するように規定される基準面に対して面対称である。このため、第１シャワーアーム４３Ａの構成を、数字、又は数字及び英小文字に英大文字「Ａ」を付加することで示す。第２シャワーアーム４３Ｂのうち第１シャワーアーム４３Ａに対応する構成を、第１シャワーアーム４３Ａと同一の数字、又は数字及び英小文字に英大文字「Ｂ」を付加することで示す。これにより、重複する説明を省略する。例えば、第１シャワーアーム４３Ａの先端部材４６Ａと第２シャワーアーム４３Ｂの先端部材４６Ｂとは、互いに面対称となる構成である。
【００２４】
図３及び図４に示すように、第１シャワーアーム４３Ａは、先端部材（先端部）４６Ａと、連結部材（連結部）４７Ａと、基端部材（基端部）４８Ａと、を備えている。なお、図３では、本体４２を二点鎖線で示している。図４では、先端部材４６Ａの断面形状を模式的に示している。
先端部材４６Ａは、先端部が封止された管状に形成されている。先端部材４６Ａは、前方Ｙ１に向かうに従い漸次、下方に向かうように傾斜している。先端部材４６Ａには、先端部材４６Ａの壁部を貫通する吐出孔５０Ａが形成されている。吐出孔５０Ａは、先端部材４６Ａの内部に供給された水Ｗを外部に吐出する。なお、本明細書における水は、温度が高い、低いによらない一般的な水のことを意味し、常温の水、及びシャワー等に用いられる温度の湯等を含む意味である。
なお、吐出孔５０Ａが形成されている向きについては、後述する。
【００２５】
図５に示すように、先端部材４６Ａの後端部の内周面には、連結溝（嵌合部）５１Ａが形成されている。なお、図５及び後述する図６では、先端部材４６Ａ及び基端部材４８Ａを二点鎖線で示している。連結溝５１Ａは、先端部材４６Ａの内周面の全周にわたって形成されている。
先端部材４６Ａは、アクリロニトリル・ブタジエン・スチレン樹脂（ＡＢＳ）樹脂、ポリプロピレン（ＰＰ）樹脂等の比較的硬質の材料で形成されている。
【００２６】
図５及び図６に示すように、連結部材４７Ａは、連結部本体（本体部）５６Ａと、先端側鍔部（被嵌合部）５７Ａと、基端側鍔部（被嵌合部）５８Ａと、を備えている。
連結部本体５６Ａは、円筒状に形成されている。連結部本体５６Ａは、前方Ｙ１と上方との間の向きに向かって凸となるように湾曲している。
連結部本体５６Ａの前端部（連結部本体５６Ａの軸線方向の端部）には、環状部材５９Ａが同軸に固定されている。環状部材５９Ａの内径及び連結部本体５６Ａの前端部の内径は、互いに同等である。環状部材５９Ａの外径は、連結部本体５６Ａの前端部の外径よりも小さい。先端側鍔部５７Ａは、環状部材５９Ａの前端部における外周面に設けられている。先端側鍔部５７Ａは、環状部材５９Ａの外周面から、環状部材５９Ａの径方向外側に向かって突出している。先端側鍔部５７Ａの外径は、連結部本体５６Ａの前端部の外径よりも小さい。先端側鍔部５７Ａは、環状部材５９Ａの全周にわたって形成されている。先端側鍔部５７Ａの前端部は、前方Ｙ１に向かうに従い漸次、外径が小さくなる。
先端側鍔部５７Ａは、先端部材４６Ａの連結溝５１Ａに嵌合している。先端側鍔部５７Ａ及び連結溝５１Ａという簡単な構成で、連結部材４７Ａと先端部材４６Ａとが嵌合している。
【００２７】
連結部本体５６Ａの後端部（連結部本体５６Ａの軸線方向の端部）には、環状部材６０Ａが同軸に固定されている。環状部材６０Ａの内径及び連結部本体５６Ａの後端部の内径は、互いに同等である。環状部材６０Ａの外径は、連結部本体５６Ａの後端部の外径よりも小さい。基端側鍔部５８Ａは、環状部材６０Ａの後端部における外周面に設けられている。基端側鍔部５８Ａは、環状部材６０Ａの外周面から、環状部材６０Ａの径方向外側に向かって突出している。基端側鍔部５８Ａの外径は、連結部本体５６Ａの後端部の外径よりも小さい。基端側鍔部５８Ａは、環状部材６０Ａの全周にわたって形成されている。基端側鍔部５８Ａの後端部は、後方Ｙ２に向かうに従い漸次、外径が小さくなる。
連結部材４７Ａを構成する連結部本体５６Ａ、鍔部５７Ａ，５８Ａ、及び環状部材５９Ａ，６０Ａは、エラストマー、軟質ウレタン、ゴム等の比較的軟質の材料で一体に形成されている。
【００２８】
なお、連結部本体５６Ａの内周面に、防水用のシート（フィルム）を配置してもよい。
連結部材４７Ａを軟質ウレタン樹脂等を用いて発泡により形成する場合には、連結部材４７Ａの外面に発泡倍率が低いスキン層が形成される。このスキン層により、水漏れを防止してもよい。
【００２９】
図３及び図５に示すように、基端部材４８Ａは、基端部本体６４Ａと、連結部材６５Ａと、環状部材６６Ａと、連結鍔部６７Ａと、を備えている。
基端部本体６４Ａは、管状に形成されている。図５に示すように、基端部本体６４Ａの前端部の内周面には、連結溝（嵌合部）６９Ａが形成されている。連結溝６９Ａは、基端部本体６４Ａの内周面の全周にわたって形成されている。この連結溝６９Ａは、連結部材４７Ａの基端側鍔部５８Ａに嵌合している。連結部材４７Ａは、先端部材４６Ａと基端部材４８Ａとを連結している。
基端部本体６４Ａには、先端部材４６Ａと同様に吐出孔５０Ａが形成されていることが好ましい。
図３に示すように、連結部材６５Ａは、基端部本体６４Ａの後端部に固定されている。連結部材６５Ａにおける左側Ｘ２の外面６５ａＡには、環状部材６６Ａが固定されている。環状部材６６Ａの軸線（第１軸線）７０Ａは、連結部材６５Ａの外面６５ａＡに直交している。環状部材６６Ａ内の流路は、連結部材６５Ａの内部空間を介して基端部本体６４Ａの管路に連通している。
【００３０】
連結鍔部６７Ａは、環状部材６６Ａの左端部における外周面に設けられている。連結鍔部６７Ａは、環状部材６６Ａの外周面から、環状部材６６Ａの径方向外側に向かって突出している。連結鍔部６７Ａは、環状部材６６Ａの外周面の全周にわたって形成されている。
基端部材４８Ａを構成する基端部本体６４Ａ、連結部材６５Ａ、環状部材６６Ａ、及び連結鍔部６７Ａは、先端部材４６Ａと同一の材料で形成されている。
このように、先端部材４６Ａ及び基端部材４８Ａよりも、連結部材４７Ａが柔らかく、変形させやすい。本実施形態では、第１シャワーアーム４３Ａは、Ｌ字状に鈍角で折れた形状である。
【００３１】
図１に示すように、第２シャワーアーム４３Ｂは、第１シャワーアーム４３Ａの先端部材４６Ａ、連結部材４７Ａ、基端部材４８Ａと面対称に構成された先端部材４６Ｂ、連結部材４７Ｂ、基端部材４８Ｂを備えている。
シャワーアーム４３Ａ，４３Ｂの基端部材４８Ａ，４８Ｂ間の距離は、使用者の肩幅程度の長さであることが好ましい。
【００３２】
本体４２は、フレーム７６と、支持部７７と、を備えている。
フレーム７６は、アルミニウム、ステンレス等の管材でＵ字状に形成されている。より詳しく説明すると、フレーム７６は、左右方向Ｘに互いに間隔を空けて並べて配置された一対の支持片７９と、一対の支持片７９の下端部同士を接合する連結片８０と、を備えている。
一対の支持片７９は、上下方向Ｚに延びている。連結片８０は、一対の支持片７９の下端部において、左右方向Ｘに延びている。
一対の支持片７９の上端部は、支持部７７に固定されている。
【００３３】
図２に示すように、一対の支持片７９は、連結片２８の後面に接触している。一対の支持片７９は、後方Ｙ２から連結金具８２により覆われている。連結金具８２の前面には、一対の支持片７９を収容するための凹部８２ａが形成されている。連結金具８２を通してフレーム２６の連結片２８に嵌め合うボルト８３により、一対の支持片７９が椅子１１の背もたれ部１４に取付けられている。
一方で、連結片２８とボルト８３との嵌め合いを解除することにより、背もたれ部１４から一対の支持片７９が取外される。このように、本体４２は背もたれ部１４に着脱可能であり、背もたれ部１４に対して上下方向Ｚに移動可能である。
なお、シャワー装置４１の本体４２は、椅子１１の背もたれ部１４に着脱できない状態で固定されていてもよい。
【００３４】
図３に示すように、支持部７７の右端部では、支持部７７内に形成された流路７７ａが開口している。前記開口近くの流路７７ａの軸線は、第１シャワーアーム４３Ａの環状部材６６Ａの軸線７０Ａに一致している。
この流路７７ａの軸線、すなわち軸線７０Ａは、図１２に示すシャワーシステム１の正面視において、左右方向Ｘに延びている。より詳しく説明すると、軸線７０Ａは、上方に向かうに従い漸次、右側Ｘ１に向かうように傾斜している。軸線７０Ａ、及び第２シャワーアーム４３Ｂに対する軸線７０Ｂは、上方に向かうに従い互いに離間するように、上下方向Ｚに対して互いに逆方向に傾いている。言い換えれば、軸線７０Ａ，７０Ｂは、上下方向Ｚに沿う基準線Ｌ３に対して互いに逆方向に傾いている。例えば、基準線Ｌ３と軸線７０Ａとが上方になす角度θＡは、６０°程度である。
【００３５】
軸線７０Ａ，７０Ｂは、図１１に示すシャワーシステム１の側面視において、上下方向Ｚに沿って延びている。なお、軸線７０Ａは、シャワーシステム１の側面視において、上方に向かうに従い漸次、前方Ｙ１に向かうように傾斜していてもよい。
図３に示すように、支持部７７のうち、前記開口近くの流路７７ａの内周面には、本体溝８６Ａが形成されている。本体溝８６Ａは、流路７７ａの内周面の全周にわたって形成されている。本体溝８６Ａに第１シャワーアーム４３Ａの連結鍔部６７Ａが嵌合している。
本体溝７８Ａ内で連結鍔部６７Ａが軸線７０Ａ周りに回転することにより、第１シャワーアーム４３Ａは、支持部７７に対して軸線７０Ａ周りに回転可能に支持されている。同様に、第２シャワーアーム４３Ｂは、支持部７７に対して軸線７０Ｂ周りに回転可能に支持されている。
【００３６】
図７は、支持部７７と第１シャワーアーム４３Ａとの軸線７０Ａ周りの接続部分を、直線状に展開した模式図である。支持部７７における前記開口近くの外面８７Ａは、第１シャワーアーム４３Ａにおける連結部材６５Ａの外面６５ａＡに対向している。
【００３７】
図７に示す支持部７７に対する連結部材６５Ａの位置関係のときに、図１に示すように第１シャワーアーム４３Ａは使用状態（特定状態）Ｐ１Ａである。第１シャワーアーム４３Ａが使用状態Ｐ１Ａのときから、図７において、支持部７７に対して第１シャワーアーム４３Ａが方向Ｄ１に移動することは、図１に示すように支持部７７に対して第１シャワーアーム４３Ａが軸線７０Ａ周りの方向Ｄ３に回転することを意味する。このとき、第１シャワーアーム４３Ａの先端部材４６Ａが下がり、第１シャワーアーム４３Ａは図８及び図９に示す退避状態Ｐ０Ａになる。なお、図９は、シャワーアーム４３Ａ，４３Ｂが退避状態Ｐ０Ａ，Ｐ０Ｂのシャワーシステム１を前後方向Ｙから見たときの図（正面図）である。
例えば、使用状態Ｐ１Ａから退避状態Ｐ０Ａまでの第１シャワーアーム４３Ａの軸線７０Ａ周りの回転角度は、７０°である。
【００３８】
一方で、第１シャワーアーム４３Ａの先端部材４６Ａが使用状態Ｐ１Ａのときから、図７において、支持部７７に対して第１シャワーアーム４３Ａが方向Ｄ２に移動することは、図１に示すように支持部７７に対して第１シャワーアーム４３Ａが軸線７０Ａ周りの方向Ｄ４に回転することを意味する。このとき、第１シャワーアーム４３Ａの先端部材４６Ａが上がり、図１０に示す跳ね上げ状態Ｐ２Ａになる。
同様に、第２シャワーアーム４３Ｂは、図１に示す使用状態（特定状態）Ｐ１Ｂから先端部材４６Ｂが下がると、図８及び図９に示す退避状態Ｐ０Ｂになる。図１に示す使用状態Ｐ１Ｂから先端部材４６Ｂが上がると、図１０に示す跳ね上げ状態Ｐ２Ｂになる。
【００３９】
このように、シャワーアーム４３Ａ，４３Ｂの基端部材４８Ａ，４８Ｂは、本体４２を左右方向Ｘに挟むように本体４２に回転可能に支持されている。そして、第１シャワーアーム４３Ａの基端部材４８Ａは、本体４２の右端部において、軸線７０Ａ周りに回転可能に支持されている。同様に、第２シャワーアーム４３Ｂの基端部材４８Ｂは、本体４２の左端部において、軸線７０Ｂ周りに回転可能に支持されている。
以下では、支持部７７と第１シャワーアーム４３Ａとの接続部分の詳細について説明する。
【００４０】
図７に示すように、支持部７７の外面８７Ａには、外面８７Ａから突出した一対の突起９０Ａ，９１Ａが設けられている。突起９０Ａは、外面８７Ａにおける方向Ｄ１側に配置され、突起９１Ａは、外面８７Ａにおける方向Ｄ２側に配置されている。図７は、支持部７７の軸線７０Ａ周りの形状を展開した形状であるため、実際には、突起９０Ａ，９１Ａは、支持部７７の外面８７Ａに軸線７０Ａ周りに互いに間隔を空けて並べて配置されている。
支持部７７の外面８７Ａには、凹部９３Ａ，９４Ａが形成されている。凹部９３Ａは、突起９０Ａと突起９１Ａとの間の外面８７Ａのうち、突起９０Ａ寄りの端部に形成されている。凹部９４Ａは、外面８７Ａのうち、突起９０Ａと突起９１Ａとの中間部に形成されている。
【００４１】
外面８７Ａにおける凹部９４Ａに対して方向Ｄ２側に隣接する部分には、板バネ９６Ａが固定されていることが好ましい。板バネ９６Ａは、凹部９４Ａよりも方向Ｄ２側に配置されている。
板バネ９６Ａの方向Ｄ２側の端部は、支持部７７の外面８７Ａに固定されている。一方で、板バネ９６Ａの方向Ｄ１側の端部は、板バネ９６Ａに外力が作用しない自然状態で外面８７Ａから離間している。板バネ９６Ａの方向Ｄ１側の端部を外面８７Ａに向かって付勢すると、板バネ９６Ａは弾性的に変形し、図７中に二点鎖線による線Ｌ１で示すように、板バネ９６Ａの方向Ｄ１側の端部が外面８７Ａに接触する。また、この付勢力を解放すると、板バネ９６Ａは元の形状に弾性復帰する。
【００４２】
第１シャワーアーム４３Ａの連結部材６５Ａの外面６５ａＡには、突起９８Ａが形成されている。なお、この突起９８Ａ、及び前述の支持部７７の突起９１Ａにより、跳ね上げ状態Ｐ２Ａの第１シャワーアーム４３Ａの先端部材４６Ａが上がるのを規制する規制部９５Ａが構成される。
突起９８Ａは、支持部７７の一対の突起９０Ａ，９１Ａの間に配置されている。支持部７７に対して第１シャワーアーム４３Ａが方向Ｄ１に移動すると、突起９０Ａに突起９８Ａが係止して、第１シャワーアーム４３Ａがこれ以上、方向Ｄ１に移動できなくなる。一方で、支持部７７に対して第１シャワーアーム４３Ａが方向Ｄ２に移動すると、突起９１Ａに突起９８Ａが係止して、第１シャワーアーム４３Ａがこれ以上、方向Ｄ２に移動できなくなる。
【００４３】
突起９８Ａの先端部には、バネ等の付勢部９９Ａを介して係止部１００Ａが固定されている。
例えば、係止部１００Ａは、球状に形成されている。係止部１００Ａは、支持部７７の一対の凹部９３Ａ，９４Ａにそれぞれ係止可能である。一方で、係止部１００Ａは、支持部７７の外面８７Ａに接触していても、この外面８７Ａに対して滑らかに（抵抗無く）方向Ｄ１及び方向Ｄ２に移動することができる。
付勢部９９Ａは、突起９８Ａに対して係止部１００Ａを支持部７７の外面８７Ａに向かって付勢する。
【００４４】
図７に示す状態では、支持部７７の凹部９４Ａに係止部１００Ａが係止している。このとき、第１シャワーアーム４３Ａは使用状態Ｐ１Ａである。
このため、使用状態Ｐ１Ａである第１シャワーアーム４３Ａの先端部材４６Ａを上げたり下げたりするのには、付勢部９９Ａの付勢力に抗して付勢部９９Ａを突起９８Ａに向かって押し返して縮ませる必要がある。すなわち、使用状態Ｐ１Ａである第１シャワーアーム４３Ａを軸線７０Ａ周りに回転させるためには、付勢部９９Ａを縮ませる力が必要であり、支持部７７の凹部９４Ａにより第１シャワーアーム４３Ａの使用状態Ｐ１Ａが位置決めされている。
【００４５】
さらに、板バネ９６Ａを備えるため、使用状態Ｐ１Ａである第１シャワーアーム４３Ａの先端部材４６Ａを上げるためには、板バネ９６Ａの方向Ｄ１側の端部を外面８７Ａに向かって変形させる必要がある。使用状態Ｐ１Ａである第１シャワーアーム４３Ａが使用者の意図することなく跳ね上げ状態Ｐ２Ａにならないように、シャワー装置４１に板バネ９６Ａが備えらている。
係止部１００Ａが、凹部９４Ａ及び板バネ９６Ａを一度方向Ｄ２側に越えると、第１シャワーアーム４３Ａを方向Ｄ２に移動させるのに、付勢部９９Ａ又は板バネ９６Ａを変形させる必要が無くなる。すなわち、第１シャワーアーム４３Ａを軸線７０Ａ周りに容易に回転できるようになる。
【００４６】
図１１、図１２に、シャワーアーム４３Ａ，４３Ｂが使用状態Ｐ１Ａ，Ｐ１Ｂであるときのシャワーシステム１の側面図、正面図をそれぞれ示す。シャワーシステム１のシャワーアーム４３Ａ，４３Ｂは、使用者が椅子１１の座部１３に座り、使用状態Ｐ１Ａ，Ｐ１Ｂにしたうえで使用される。使用状態Ｐ１Ａ，Ｐ１Ｂのシャワーアーム４３Ａ，４３Ｂの先端部材４６Ａ，４６Ｂは、図８及び図９に示す退避状態Ｐ０Ａ，Ｐ０Ｂの先端部材４６Ａ，４６Ｂよりも位置が上がっている。
【００４７】
図１２に示す正面視において、シャワーアーム４３Ａ，４３Ｂが使用状態Ｐ１Ａ，Ｐ１Ｂであるときに、シャワーアーム４３Ａ，４３Ｂはそれぞれ上下方向Ｚに沿って延びるように配置されている。言い換えると、図１１及び図１２に示すように、使用状態Ｐ１Ａ，Ｐ１Ｂであるシャワーアーム４３Ａ，４３Ｂは、左右方向Ｘに直交する基準面ＳＡ，ＳＢ上にそれぞれ配置されている。
また、図１１に示すように、使用状態Ｐ１Ａ，Ｐ１Ｂであるシャワーアーム４３Ａ，４３Ｂは、椅子１１の背もたれ部１４よりも、前方Ｙ１に向かって延びるように配置されている。シャワーアーム４３Ａ，４３Ｂの吐出孔５０Ａ，５０Ｂは、シャワーアーム４３Ａ，４３Ｂが使用状態Ｐ１Ａ，Ｐ１Ｂであるときに、水が後方Ｙ２と下方との間の斜めの向き等に吐出するように形成されている。
なお、シャワーアーム４３Ａ，４３Ｂは、使用状態Ｐ１Ａ，Ｐ１Ｂのときに、少なくとも吐出孔５０Ａ，５０Ｂが形成されている部分が背もたれ部１４よりも、前方Ｙ１に向かって延びるように配置されていればよい。
【００４８】
第１シャワーアーム４３Ａは軸線７０Ａに対して先端部材４６Ａ側に延びているため、、第１シャワーアーム４３Ａは自身の自重（自身に作用する重力）により、軸線７０Ａ周りに先端部材４６Ａが下がる向きに回転しようとする。
使用状態Ｐ１Ａにある第１シャワーアーム４３Ａがこのように回転することを、支持部７７の凹部９４Ａに係止部１００Ａが係止していることと、付勢部９９Ａの弾性力とにより防いでいる。
【００４９】
一方で、図８及び図９に示すように、退避状態Ｐ０Ａ，Ｐ０Ｂであるときのシャワーアーム４３Ａ，４３Ｂは、使用者がシャワーアーム４３Ａ，４３Ｂを使用しないときの状態である。このとき、シャワーアーム４３Ａ，４３Ｂの先端部材４６Ａ，４６Ｂは、図１１、図１２に示すシャワーアーム４３Ａ，４３Ｂが使用状態Ｐ１Ａ，Ｐ１Ｂであるときの先端部材４６Ａ，４６Ｂよりも下がっている。
図９に示すように、退避状態Ｐ０Ａ，Ｐ０Ｂであるときのシャワーアーム４３Ａ，４３Ｂは、下方に向かうに従い漸次、互いに左右方向Ｘに離間するように配置されている。シャワーアーム４３Ａ，４３Ｂは、全体としてハ字状（上下を逆にしたＶ字状）である。
より詳しく説明すると、第１シャワーアーム４３Ａは、下方に向かうに従い漸次、右側Ｘ１に向かうように傾斜している。一方で、第２シャワーアーム４３Ｂは、下方に向かうに従い漸次、左側Ｘ２に向かうように傾斜している。
【００５０】
前述のように軸線７０Ａ，７０Ｂが上下方向Ｚに対して傾いているため、シャワーアーム４３Ａ，４３Ｂを使用状態Ｐ１Ａ，Ｐ１Ｂから退避状態Ｐ０Ａ，Ｐ０Ｂにすると、シャワーアーム４３Ａ，４３Ｂは、下方に向かうに従い漸次、互いに離間する。
なお、退避状態Ｐ０Ａ，Ｐ０Ｂのとき、シャワーアーム４３Ａ，４３Ｂの先端部材４６Ａ，４６Ｂ間の距離は、椅子１１の一対の肘掛け１５全体の左右方向Ｘの長さよりも長い。さらに、退避状態Ｐ０Ａ，Ｐ０Ｂのときのシャワーアーム４３Ａ，４３Ｂの先端部材４６Ａ，４６Ｂ間の距離は、使用状態Ｐ１Ａ，Ｐ１Ｂのときのシャワーアーム４３Ａ，４３Ｂの先端部材４６Ａ，４６Ｂ間の距離よりも長い。
図８に示す側面視において、シャワーアーム４３Ａ，４３Ｂの先端部材４６Ａ，４６Ｂは、基端部材４８Ａ，４８Ｂの下方にそれぞれ配置されている。シャワーアーム４３Ａ，４３Ｂが退避状態Ｐ０Ａ，Ｐ０Ｂであるときに、シャワーアーム４３Ａ，４３Ｂの吐出孔５０Ａ，５０Ｂは後方Ｙ２を向いている。
【００５１】
シャワーアーム４３Ａ，４３Ｂが退避状態Ｐ０Ａ，Ｐ０Ｂのときに、突起９８Ａ及び係止部１００Ａは、図７において二点鎖線による線Ｌ５で示す位置に配置されている。そして、支持部７７の凹部９３Ａに係止部１００Ａが係止していて、支持部７７の突起９０Ａに突起９８Ａが方向Ｄ２側から係止している。このため、支持部７７に対して第１シャワーアーム４３Ａがこれ以上方向Ｄ１に移動できなくなり、シャワーアーム４３Ａ，４３Ｂの先端部材４６Ａ，４６Ｂが、これ以上下がらなくなる。
【００５２】
図１０に示すように、跳ね上げ状態Ｐ２Ａ，Ｐ２Ｂは、使用者が使用状態Ｐ１Ａ，Ｐ１Ｂで使用していたシャワーアーム４３Ａ，４３Ｂの先端部材４６Ａ，４６Ｂを上方に移動させた（跳ね上げた）状態である。シャワーアーム４３Ａ，４３Ｂでは、使用状態Ｐ１Ａ，Ｐ１Ｂよりも跳ね上げ状態Ｐ２Ａ，Ｐ２Ｂの方が、先端部材４６Ａ，４６Ｂが上方に位置する。
このとき、突起９８Ａ及び係止部１００Ａは、図７において二点鎖線による線Ｌ６で示す位置に配置されている。支持部７７の突起９１Ａに、突起９８Ａが方向Ｄ１側から係止している。このため、支持部７７に対して第１シャワーアーム４３Ａがこれ以上方向Ｄ２に移動できなくなり、シャワーアーム４３Ａ，４３Ｂの先端部材４６Ａ，４６Ｂが、これ以上上がらなくなる。
【００５３】
なお、跳ね上げ状態Ｐ２Ａの第１シャワーアーム４３Ａの先端部材４６Ａは、自重により使用状態Ｐ１Ａの第１シャワーアーム４３Ａの先端部材４６Ａの位置まで下がる。
この第１シャワーアーム４３Ａの自重に逆らって、跳ね上げ状態Ｐ２Ａと使用状態Ｐ１Ａとの間では、第１シャワーアーム４３Ａを軸線７０Ａ周りにほぼ外力を作用させることなく回転させることができるようにバネを設けてもよい。このバネは、第１シャワーアーム４３Ａの先端部材４６Ａが上がるように、第１シャワーアーム４３Ａを軸線７０Ａ周りに付勢する。
【００５４】
図１に示すように、接続部４４は、例えば、ホース１０３等が着脱可能に接続されるコネクタである。接続部４４は、本体４２の支持部７７の後面に固定されている。接続部４４には、ホース１０３を介して外部から水が供給される。接続部４４に供給された水は、図示しない２又分岐、及び支持部７７の流路７７ａを通して、シャワーアーム４３Ａ，４３Ｂに供給される。
【００５５】
次に、以上のように構成されたシャワーシステム１の動作について説明する。
予め、椅子１１は折り畳み状態になっていて、シャワー装置４１は椅子１１に取付けられている。シャワーアーム４３Ａ，４３Ｂは、退避状態Ｐ０Ａ，Ｐ０Ｂになっている。退避状態Ｐ０Ａ，Ｐ０Ｂであるシャワーアーム４３Ａ，４３Ｂは、正面視において、基端部材４８Ａ，４８Ｂから下方に向かうに従い漸次互いに左右方向Ｘに離間するように配置されているため、シャワーアーム４３Ａ，４３Ｂが椅子１１の一対の肘掛け１５を左右方向Ｘの外側に避けやすい。
【００５６】
使用者は、図１に示すように、椅子１１を展開状態にし、浴室Ｂ等の床Ｂ１上にシャワーシステム１を設置する。このとき、図示しない水栓にホース１０３を接続し、このホース１０３を、シャワー装置４１の接続部４４に接続する。水栓から出る水の温度を、例えば３５℃〜４０℃程度の所望の温度に設定し、水栓を開ける。
水栓から流れ出る水は、当初は１５℃〜２５℃程度の常温である。水栓から流れ出る水は、ホース１０３、接続部４４、支持部７７の流路７７ａを通して、シャワーアーム４３Ａ，４３Ｂに供給され、吐出孔５０Ａ，５０Ｂから外部に吐出する。このとき、シャワーアーム４３Ａ，４３Ｂの吐出孔５０Ａ，５０Ｂは後方Ｙ２を向いているため、常温の水が使用者に掛かることが抑制される。
【００５７】
使用者は、背もたれ部１４の前方Ｙ１で椅子１１に座る。一定の時間が経過すると、吐出孔５０Ａ，５０Ｂから吐出する水の温度が所望の温度になる。
図１３に示すように、使用者Ｐは、シャワーアーム４３Ａ，４３Ｂの先端部材４６Ａ，４６Ｂを上げて、シャワーアーム４３Ａ，４３Ｂを使用状態Ｐ１Ａ，Ｐ１Ｂにする。シャワーアーム４３Ａ，４３Ｂの連結部材４７Ａ，４７Ｂが柔らかい場合には、使用者Ｐはシャワーアーム４３Ａ，４３Ｂの基端部材４８Ａ，４８Ｂを持ち上げる。
【００５８】
使用状態Ｐ１Ａ，Ｐ１Ｂであるシャワーアーム４３Ａ，４３Ｂは、正面視においてそれぞれ上下方向Ｚに沿って延び、使用状態Ｐ１Ａ，Ｐ１Ｂのときのシャワーアーム４３Ａ，４３Ｂの先端部材４６Ａ，４６Ｂ間の距離は、退避状態Ｐ０Ａ，Ｐ０Ｂのときのシャワーアーム４３Ａ，４３Ｂの先端部材４６Ａ，４６Ｂ間の距離よりも短い。このため、シャワーアーム４３Ａ，４３Ｂの先端部材４６Ａ，４６Ｂは、退避状態Ｐ０Ａ，Ｐ０Ｂのときよりも使用者Ｐの左右方向Ｘの中心に近づく。
退避状態Ｐ０Ａ，Ｐ０Ｂにおいて左右方向Ｘに互いに離間していたシャワーアーム４３Ａ，４３Ｂの先端部材４６Ａ，４６Ｂは、使用状態Ｐ１Ａ，Ｐ１Ｂにおいて使用者Ｐの肩幅程度の長さに近づくため、退避状態Ｐ０Ａ，Ｐ０Ｂから使用状態Ｐ１Ａ，Ｐ１Ｂになる過程で、シャワーアーム４３Ａ，４３Ｂが椅子１１の一対の肘掛け１５や、使用者Ｐの身体等に干渉しにくい。
【００５９】
図７における線Ｌ５で示す位置に配置され、支持部７７の凹部９３Ａに係止していた係止部１００Ａは方向Ｄ２に移動し、支持部７７の凹部９４Ａに係止する。
図１３に示すように、使用者Ｐは、シャワーアーム４３Ａ，４３Ｂの吐出孔５０Ａ，５０Ｂから吐出する水Ｗを浴び、シャワーを浴びる。
なお、使用者Ｐは、シャワーアーム４３Ａ，４３Ｂを退避状態Ｐ０Ａ，Ｐ０Ｂにして、自身の身体を洗ってもよい。この際に、シャワーアーム４３Ａ，４３Ｂが退避状態Ｐ０Ａ，Ｐ０Ｂであるため、シャワーアーム４３Ａ，４３Ｂが身体を洗う作業の支障になりにくい。
【００６０】
使用者Ｐは、シャワーを浴び終えると、シャワーアーム４３Ａ，４３Ｂを退避状態Ｐ０Ａ，Ｐ０Ｂにする。浴室Ｂの水栓を閉じる。
【００６１】
仮に、シャワーアーム４３Ａ，４３Ｂを使用状態Ｐ１Ａ，Ｐ１Ｂにしてシャワーを浴びている使用者Ｐが、緊急事態が発生したためにシャワーシステム１からとっさに脱出する場合には、以下の手順を行う。
使用者Ｐは、手等により、使用状態Ｐ１Ａ，Ｐ１Ｂであるシャワーアーム４３Ａ，４３Ｂをそれぞれ持ち上げる（跳ね上げる）。図７において、支持部７７の凹部９４Ａに係止していた係止部１００Ａは方向Ｄ２に移動し、板バネ９６Ａを線Ｌ１で示すように弾性的に変形させて乗り越える。
【００６２】
係止部１００Ａは図７における線Ｌ６で示す位置に配置され、支持部７７の突起９１Ａに第１シャワーアーム４３Ａの突起９８Ａが方向Ｄ１側から係止して、シャワーアーム４３Ａ，４３Ｂの先端部材４６Ａ，４６Ｂがこれ以上上がらなくなる。
【００６３】
椅子１１の座部１３とシャワーアーム４３Ａ，４３Ｂの先端部材４６Ａ，４６Ｂとが上下方向Ｚに広がったため、使用者Ｐはシャワーアーム４３Ａ，４３Ｂにほぼ干渉することなく椅子１１から立ち上がり、シャワーシステム１から脱出する。使用状態Ｐ１Ａ，Ｐ１Ｂであるシャワーアーム４３Ａ，４３Ｂの先端部材４６Ａ，４６Ｂを上げる際には、シャワーアーム４３Ａ，４３Ｂが固定されないため、使用者Ｐの身体がシャワーアーム４３Ａ，４３Ｂに接触すると、ほぼ抵抗なくシャワーアーム４３Ａ，４３Ｂの先端部材４６Ａ，４６Ｂが上がる。
使用者Ｐが手等をシャワーアーム４３Ａ，４３Ｂから放すと、シャワーアーム４３Ａ，４３Ｂの先端部材４６Ａ，４６Ｂは、シャワーアーム４３Ａ，４３Ｂの自重により板バネ９６Ａ，９６Ｂを変形させながら、使用状態Ｐ１Ａ，Ｐ１Ｂのシャワーアーム４３Ａ，４３Ｂの先端部材４６Ａ，４６Ｂの位置までそれぞれ下がる。このとき、支持部７７の凹部９４Ａに係止部１００Ａが係止する。
【００６４】
また、使用者Ｐがシャワーシステム１から脱出する際に、シャワーアーム４３Ａ，４３Ｂの連結部材４７Ａ，４７Ｂを変形させ、先端部材４６Ａ，４６Ｂを所望の方向に曲げてもよい。
例えば、使用者Ｐは、第１シャワーアーム４３Ａの連結部材４７Ａを変形させて、例えば先端部材４６Ａを持ち上げる等した後で、椅子１１から前方Ｙ１に脱出する。この際に、先端部材４６Ａ及び基端部材４８Ａよりも連結部材４７Ａが柔らかいため、使用者Ｐが先端部材４６Ａを操作することにより、先端部材４６Ａよりも柔らかい連結部材４７Ａを変形させることができる。連結部材４７Ａが変形するため、第１シャワーアーム４３Ａの基端部材４８Ａに過剰な力が作用しなく、第１シャワーアーム４３Ａが破損するのが防止できる。
以上のように、緊急事態が発生した場合でも、使用者Ｐはシャワーシステム１から容易に脱出することができる。
【００６５】
なお、前述のシャワーシステム１や水栓を操作する使用者は、実際にシャワーを浴びてシャワーシステム１を使用する使用者（以下、実際の使用者と言う）に限定されず、実際の使用者の補助者としてシャワーシステム１を使用する介助者であってもよい。
すなわち、実際の使用者がシャワーシステム１等を操作するのが困難である場合には、介助者がシャワーシステム１の操作等を行う。
【００６６】
以上説明したように、本実施形態のシャワー装置４１によれば、使用者Ｐは背もたれ部１４の前方Ｙ１で椅子１１に座り、シャワーアーム４３Ａ，４３Ｂを使用状態Ｐ１Ａ，Ｐ１Ｂにして、接続部４４から供給されシャワーアーム４３Ａ，４３Ｂにおける背もたれ部１４よりも前方Ｙ１に延びている部分の吐出孔５０Ａ，５０Ｂから吐出する水Ｗに当たることによりシャワーを浴びる。
この際に、緊急事態が発生したため等により、シャワー装置４１から使用者Ｐが脱出する場合には、連結部材４７Ａを変形させて、例えば先端部材４６Ａを持ち上げる等して、第１シャワーアーム４３Ａを使用者Ｐがシャワー装置４１から脱出するのに支障がないように形状にする。従って、使用状態Ｐ１Ａである第１シャワーアーム４３Ａから使用者Ｐが容易に脱出することができる。
【００６７】
連結部材４７Ａは、連結部本体５６Ａと、先端部材４６Ａの連結溝５１Ａに嵌合する先端側鍔部５７Ａと、を備える。このため、連結溝５１Ａ及び先端側鍔部５７Ａという簡単な構成で、第１シャワーアーム４３Ａの先端部材４６Ａと連結部材４７Ａとを嵌合させることができる。
シャワー装置４１が、第２シャワーアーム４３Ｂを備える。このため、第１シャワーアーム４３Ａの吐出孔５０Ａから吐出する水Ｗだけでなく、第１シャワーアーム４３Ａとともに本体４２を左右方向Ｘに挟んだ第２シャワーアーム４３Ｂの吐出孔５０Ｂから吐出する水Ｗにより、使用者Ｐにシャワーを浴びさせることができる。
【００６８】
また、本実施形態のシャワーシステム１によれば、使用状態Ｐ１Ａ，Ｐ１Ｂであるシャワーアーム４３Ａ，４３Ｂから使用者Ｐが容易に脱出可能なシャワー装置４１を用いてシャワーシステム１を構成することができる。
【００６９】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、シャワー装置４１は、第２シャワーアーム４３Ｂを備えなくてもよい。
この場合、第１シャワーアーム４３Ａは、退避状態Ｐ０Ａ及び跳ね上げ状態Ｐ２Ｂに回転できなくてもよい。嵌合部が先端部材４６Ａの連結溝５１Ａであり、被嵌合部が連結部材４７Ａの先端側鍔部５７Ａであるとした。しかし、嵌合部が鍔部であり、被嵌合部が鍔部に嵌合する溝である等してもよい。基端部材４８Ａの連結溝６９Ａ、連結部材４７Ａの基端側鍔部５８Ａについても同様である。
【００７０】
先端部材４６Ａ又は基端部材４８Ａと連結部材４７Ａとは、接着等により接合されてもよい。第１シャワーアーム４３Ａは、本体４２の左側Ｘ２や、本体４２における左右方向Ｘの中間部に配置されていてもよい。
椅子１１は、一対の肘掛け１５を備えなくてもよい。
本体４２は、浴室Ｂに、椅子１１とは別に設けられた支柱等の支持部に取付けられてもよい。浴室Ｂは、ユニットバスでもよいし、在来工法による浴室であってもよい。
【符号の説明】
【００７１】
１    シャワーシステム
１１  椅子
１４  背もたれ部
４１  シャワー装置
４２  本体
４３Ａ  第１シャワーアーム（第１腕部）
４３Ｂ  第２シャワーアーム（第２腕部）
４４  接続部
４６Ａ  先端部材（先端部）
４７Ａ  連結部材（連結部）
４８Ａ，４８Ｂ  基端部材（基端部）
５０Ａ，５０Ｂ  吐出孔
５１Ａ  連結溝（嵌合部）
５６Ａ  連結部本体（本体部）
５７Ａ  先端側鍔部（被嵌合部）
５８Ａ  基端側鍔部（被嵌合部）
６９Ａ  連結溝（嵌合部）
７０Ａ，７０Ｂ  軸線
Ｐ    使用者
Ｐ１Ａ  使用状態（特定状態）
Ｗ    水
Ｘ    左右方向（第１方向）
Ｙ    前後方向（第２方向）
Ｙ１  前方（一方側）
【図１】
2019198585.tif 000003
【図２】
2019198585.tif 000004
【図３】
2019198585.tif 000005
【図４】
2019198585.tif 000006
【図５】
2019198585.tif 000007
【図６】
2019198585.tif 000008
【図７】
2019198585.tif 000009
【図８】
2019198585.tif 000010
【図９】
2019198585.tif 000011
【図１０】
2019198585.tif 000012
【図１１】
2019198585.tif 000013
【図１２】
2019198585.tif 000014
【図１３】
2019198585.tif 000015